(57)【要約】      （修正有）【課題】低張力時においても、架線の揺れなどによりクサビが緩みにくく外れにくい掴線器を提供する。【解決手段】ベース部材１００の断面略Ｃ字形状の内側部分の一方端には第１内面が、また、内側部分の他方端には第２内面が設けられている。第１内面は、第２内面に対して図示するように傾いた面となっており、この傾いた面でクサビ部材２００の傾斜面を、受けるようになっている。そして、第１内面上で傾斜面が接しつつ動くことによって、ブロック部材３００に対してクサビ部材２００が摺動可能となる。このようなクサビ部材２００が摺動に伴い、クサビ部材２００の水平面が上下して、対向するブロック部材３００と共に、線状体Ｗを挟むようになっている。クサビ部材２００の傾斜面にラチェット機構の一部を構成するラック部を設ける。またベース部材１００にはラチェット機構を有効、無効とする切替レバーを設ける。ラチェット機構を有効とすることにより、クサビ部材２００がＢ方向に移動して線状体Ｗが緩むことがないようラチェット機構が機能する。【選択図】図６
0003143822.tif 000002
【実用新案登録請求の範囲】
【請求項１】
断面略Ｃ字形状をなすベース部材と、
前記ベース部材のＣ字形状内面の一端部に配されるクサビ部材と、を有し、
前記クサビ部材及び前記ベース部材にラチェット機構が設けられることを特徴とする掴線器。
【請求項２】
ラチェット機構を有効又は無効とする切替レバーが設けられることを特徴とする請求項１に記載の掴線器。
【請求項３】
滑り止め面を有すると共に前記ベース部材のＣ字形状内面の他端部に配されるブロック部材を有することを特徴とする請求項１又は請求項２に記載の掴線器。
【考案の詳細な説明】
【技術分野】
【０００１】
本考案は、架線延線工事などの作業工程において張線器（シメラー）とともに用いる掴線器に関する。
【背景技術】
【０００２】
従来、架線延線工事などにおいて、掴線器によって架線を掴み、さらに張線器で架線の張力を担わせるといった作業工程が行われている。このような作業工程に用いられる掴線器については、例えば、特許文献１（特開２００４−２４２４７７号公報）に開示されている。
【特許文献１】特開２０００−２５４９３号公報
【考案の開示】
【考案が解決しようとする課題】
【０００３】
本出願人らは、従来、クサビ部材が用いられた掴線器によって架線延線工事などを行っていたが、このようなクサビ部材を用いた掴線器では、低張力時において、架線を揺らすと、架線、クサビ部材が緩んで掴線器から外れてしまう、という問題があった。
【課題を解決するための手段】
【０００４】
上記のような課題を解決するために、請求項１に係る考案は、断面略Ｃ字形状をなすベース部材と、前記ベース部材のＣ字形状内面の一端部に配されるクサビ部材と、を有し、前記クサビ部材及び前記ベース部材にラチェット機構が設けられることを特徴とする。
【０００５】
また、請求項２に係る考案は、請求項１に記載の掴線器において、ラチェット機構を有効又は無効とする切替レバーが設けられることを特徴とする。
【０００６】
また、請求項３に係る考案は、請求項１又は請求項２に記載の掴線器において、滑り止め面を有すると共に前記ベース部材のＣ字形状内面の他端部に配されるブロック部材を有することを特徴とする。
【考案の効果】
【０００７】
本考案の掴線器によれば、低張力時においても、架線の揺れなどによりクサビが掴線器から緩みにくく、また、掴線器から外れにくい、という効果を享受することができる。
【考案を実施するための最良の形態】
【０００８】
以下、本考案の実施の形態を図面を参照しつつ説明する。図１は本考案の実施の形態に係る掴線器のベース部材とブロック部材の（Ａ）正面図及び（Ｂ）断面図であり、図２は本考案の実施の形態に係る掴線器のクサビ部材の斜視図であり、図３は本考案の実施の形態に係る掴線器のブロック部材の斜視図である。図１（Ｂ）は、図１（Ａ）のＸ−Ｘ’断面を示している。なお、図１においては、ラチェット機構については煩雑を避けるために図示省略している。
【０００９】
図１乃至図３において、１００はベース部材、１０１は第１内面、１０２は第２内面、１０３は規制螺旋穴、１０４はブロック部材取付螺旋穴、１０５は開口部、１５０は切替レバー、２００はクサビ部材、２０１はラック部、２０２は規制溝、２０３は水平面、２０４は傾斜面、
３００はブロック部材、３０１は滑り止め面、３０２は歯部、３０３は嵌合凹部、３０５
は第１側部、３０６は第２側部、３０７はねじ穴、３１０は規制螺旋、３１１はブロック部材取付螺旋をそれぞれ示している。
【００１０】
図１に示すように、ベース部材１００は断面略Ｃ字形状の金属製の部材であり、本考案に係る掴線器においては、ベース部材１００の開口部１０５から、架線、張架線、トロリ線などの線状体Ｗを挿通し、このＣ字形状の内方において線状体Ｗを把持するように構成される。このベース部材１００を基材として、線状体Ｗを挟持するための部材である、クサビ部材２００とブロック部材３００とが取り付けられるようになっている。
【００１１】
なお、本実施形態にかかる掴線器を構成する部材は、要求を満たす強度を有する金属によって構成されるものとする。
【００１２】
ベース部材１００の断面略Ｃ字形状の内側部分の一方端には第１内面１０１が、また、内側部分の他方端には第２内面１０２が設けられている。第１内面１０１は、第２内面１０２に対して図示するように傾いた面となっており、この傾いた面でクサビ部材２００の傾斜面２０４を、受けるようになっている。そして、第１内面１０１上で傾斜面２０４が接しつつ動くことによって、ブロック部材３００に対してクサビ部材２００が摺動可能となる。このようなクサビ部材２００が摺動に伴い、クサビ部材２００の水平面２０３が上下して、対向するブロック部材３００と共に、線状体Ｗを挟むようになっている。
【００１３】
ベース部材１００には、その外周部から内周部に向けて、規制螺旋穴１０３が設けられており、この規制螺旋穴１０３を利用して規制螺旋３１０が取り付けられ、規制螺旋３１０の先端部側がクサビ部材２００の規制溝２０２に嵌合ことによって、ベース部材１００に対するクサビ部材２００の動きが所定方向のみとなるように規制する。
【００１４】
また、ベース部材１００の外周部から第２内面１０２に向けて、ブロック部材取付螺旋穴１０４が設けられており、このブロック部材取付螺旋穴１０４を利用することによって、ブロック部材３００がブロック部材取付螺旋３１１で取り付けられるようになっている。
【００１５】
ブロック部材３００は、第１側部３０５と第２側部３０６との間に、嵌合凹部３０３が設けられており、この嵌合凹部３０３にブロック部材取付螺旋３１１のためのねじ穴３０７が配されている。ブロック部材３００は、ベース部材１００の第２内面１０２側において、嵌合凹部３０３がはまり込み、かつ、第１側部３０５と第２側部３０６とがベース部材１００の外側に飛び出した状態で、ベース部材１００に取り付けられる。
【００１６】
以上のようにしてベース部材１００に取り付けられるブロック部材３００には、滑り止め面３０１が設けられている。この滑り止め面３０１には、線状体Ｗと接したときにおいて、線状体Ｗとの間で高い摩擦力を発生されるために、複数の歯部３０２が形成されている。そして、本考案に係る掴線器は、ブロック部材３００の滑り止め面３０１と、クサビ部材２００の水平面２０３との間で、線状体Ｗを挟持ようにして利用される。
【００１７】
クサビ部材２００の傾斜面２０４には、ラチェット機構の一部を構成するラック部２０１が設けられている。また、ベース部材１００には、ラチェット機構を有効、無効とするための切替レバー１５０が設けられている。
【００１８】
次に、本考案の掴線器に採用されるラチェット機構について説明する。図４は本考案の実施の形態に係る掴線器のラチェット機構を示す図である。図４（Ａ）はラチェット機構が無効とされている場合を示す図であり、図４（Ｂ）はラチェット機構が有効とされている場合を示す図である。図４において、１５１は軸部、１５２は連結部、１５３は爪部、
１５４は弾性部材をそれぞれ示している。
【００１９】
ラック部２０１はクサビ部材２００側の構成であり、軸部１５１、連結部１５２、爪部１５３、弾性部材１５４はベース部材１００側の構成であり、これらの構成によって、本考案の掴線器のラチェット機構を構成している。
【００２０】
軸部１５１は、ベース部材１００の外囲に露出している切替レバー１５０の軸であり、切替レバー１５０の回動に連動して、回転するようになっている。この軸部１５１の外周には連結部１５２が設けられている。そして、爪部１５３は、連結部１５２に対して上下方向の若干のアソビを有する形で、連結部１５２に取り付けられている。また、爪部１５３は、弾性部材１５４によって上方向に付勢されている。このような構造によって、切替レバー１５０の回動に伴い、軸部１５１が回転して、爪部１５３が図示上下方向に移動するようになっている。
【００２１】
図４（Ａ）は、切替レバー１５０が第１ポジションにある場合を示しており、爪部１５３がラック部２０１と係合することなく、ラチェット機構が無効となっている状態を示しているものである。また、図４（Ｂ）は、切替レバー１５０を第１ポジションから回動させて、第２ポジションとした場合を示しており、爪部１５３がラック部２０１と係合することによって、ラチェット機構が有効となっている状態を示している。図４（Ｂ）に示すようにラチェット機構が有効となると、クサビ部材２００はベース部材１００に対して、Ｆ方向には移動することができるが、Ｂ方向に対しては、爪部１５３がラック部２０１をロックするために移動することができない。このため、図４（Ｂ）に示すようにラチェット機構が有効なときは、クサビ部材２００は、水平面２０３で線状体Ｗを締め付ける方向にしが動作しない。つまり、本考案の掴線器によれば、ラチェット機構が動作しているときには、線状体Ｗをいったん挟持して締め付けると、線状体Ｗの張力が低くなっても、線状体Ｗをリリースする方向にクサビ部材２００が移動することがない。すなわち、本考案の掴線器によれば、低張力時においても、架線の揺れなどによりクサビが掴線器から緩みにくく、また、掴線器から外れにくい、という効果を享受することができるのである。
【００２２】
以上のように構成される本考案の掴線器の使用形態について説明する。図５は本考案の実施の形態に係る掴線器によって線状体Ｗを掴む前の様子を示す図であり、図６は本考案の実施の形態に係る掴線器によって線状体Ｗを掴んだ後の様子を示す図である。
【００２３】
本考案の掴線器の使用においては、図５に示すように、まずベース部材１００の開口部１０５に線状体Ｗを通して、ブロック部材３００とクサビ部材２００との間に配する。このときは、切替レバー１５０はラチェット機構が無効となっている第１ポジションとなるようにする。
【００２４】
次に、切替レバー１５０をラチェット機構が有効となるように第２ポジションとし、クサビ部材２００の端面部をＧに示す方向にハンマーなどで押す。これによって、ラチェット機構によって、クサビ部材２００を段階的にＦ方向に進行させ、線状体Ｗをクサビ部材２００とブロック部材３００と間で挟持する。本考案の掴線器では、ラチェット機構の効果によりクサビ部材２００がＢ方向に移動して、線状体Ｗが緩んでしまうようなことがない。また、クサビ部材２００は、ラチェット機構のロック機構の動作があるために、Ｇ方向に強く打ち込む必要がなく、線状体Ｗを傷つけにくい、という効果もある。
【図面の簡単な説明】
【００２５】
【図１】本考案の実施の形態に係る掴線器のベース部材とブロック部材の（Ａ）正面図及び（Ｂ）断面図である。
【図２】本考案の実施の形態に係る掴線器のクサビ部材の斜視図である。
【図３】本考案の実施の形態に係る掴線器のブロック部材の斜視図である。
【図４】本考案の実施の形態に係る掴線器のラチェット機構を示す図である。
【図５】本考案の実施の形態に係る掴線器によって線状体Ｗを掴む前の様子を示す図である。
【図６】本考案の実施の形態に係る掴線器によって線状体Ｗを掴んだ後の様子を示す図である。
【符号の説明】
【００２６】
１００・・・ベース部材、１０１・・・第１内面、１０２・・・第２内面、１０３・・・規制螺旋穴、１０４・・・ブロック部材取付螺旋穴、１０５・・・開口部、１５０・・・切替レバー、１５１・・・軸部、１５２・・・連結部、１５３・・・爪部、１５４・・・弾性部材、２００・・・クサビ部材、２０１・・・ラック部、２０２・・・規制溝、２０３・・・水平面、２０４・・・傾斜面、３００・・・ブロック部材、３０１・・・滑り止め面、３０２・・・歯部、３０３・・・嵌合凹部、３０５・・・第１側部、３０６・・・第２側部、３０７・・・ねじ穴、３１０・・・規制螺旋、３１１・・・ブロック部材取付螺旋
【図１】
0003143822.tif 000003
【図２】
0003143822.tif 000004
【図３】
0003143822.tif 000005
【図４】
0003143822.tif 000006
【図５】
0003143822.tif 000007
【図６】
0003143822.tif 000008